(57)【要約】      （修正有）【課題】構造の異なる蓋構造の容器に対して、それぞれの蓋体に効率よく操作力を伝達して、これらの蓋体を容易に開封することができる開封補助具を提供する。【解決手段】筒状に形成され、少なくとも一端が開放されたキャップ係合部２と、このキャップ係合部２の側部に一体に延設され、断面が略矩形状のタブ係合孔３ａが形成されたタブ係合部３と、前記キャップ係合部２の側部で、前記タブ係合部３から離間した位置に一体に延設された鰐口部４とを備えている。【選択図】図１
0003184130.tif 000002
【実用新案登録請求の範囲】
【請求項１】
筒状に形成され、少なくとも一端が開放されたキャップ係合部と、このキャップ係合部の側部に一体に延設され、断面が略矩形状のタブ係合孔が形成されたタブ係合部と、前記キャップ係合部の側部で、前記タブ係合部から離間した位置に一体に延設された鰐口部とを備えていることを特徴とする容器の開封補助具。
【請求項２】
前記タブ係合部のタブ係合孔と前記鰐口部の口とが、それぞれの中心線によって形成される挟み角が鈍角となるように形成されていることを特徴とする請求項１に記載の容器の開封補助具。
【請求項３】
前記鰐口部の口の部分はスリット状の隙間に形成され、前記口の奥の部分に拡径部が設けられていることを特徴とする請求項１又は２に記載の容器の開封補助具。
【請求項４】
前記キャップ係合部の内壁が、一端部から他端部に行くにしたがい漸次小径となるように形成されていることを特徴とする請求項１〜３の何れかに記載の容器の開封補助具。
【請求項５】
前記キャップ係合部の内壁に、このキャップ係合部の中心線と略平行な多数の突条が形成されていることを特徴とする請求項１〜４の何れかに記載の容器の開封補助具。
【考案の詳細な説明】
【技術分野】
【０００１】
本考案は、容器の開封補助具に係わり、ペットボトルのねじ蓋や缶飲料のプルタブの開封に用いられる開封補助具に関するものである。
【背景技術】
【０００２】
一般に、容器には、内容物の保管と取り出しを可能にする蓋が設けられており、この蓋として、前記容器本体の開口部にねじ止めされるねじ蓋や、容器と一体に設けられて、その一部を破断することによって開口部を形成するようにしたプルタブ等がある。
【０００３】
ところで、前述したねじ蓋にあっては、容器本体との摩擦が大きいと、開封時にねじ蓋を回す手が滑り、開けることができない場合がある。
【０００４】
このような不具合に対処するために、ねじ蓋に巻き付けて、このねじ蓋との摩擦を大きくし、また、ねじ蓋にかかるモーメントを大きくすることにより、ねじ蓋を容易に開けることのできる補助具が提案されている（特許文献１参照）。
【先行技術文献】
【特許文献】
【０００５】
【特許文献１】特開平９−４００８４号公報
【考案の概要】
【考案が解決しようとする課題】
【０００６】
ところで、前述した従来の技術は、ねじ蓋に特化したもので、缶詰や缶飲料等に多く用いられているプルタブの開封操作には適用できない。
【０００７】
本考案は、前述した問題点に鑑みなされたもので、容器のねじ蓋やプルタブの何れの開封にも対応できる開封補助具を提供することを解決課題とする。
【課題を解決するための手段】
【０００８】
本考案の請求項１に記載の容器の開封補助具は、筒状に形成され、少なくとも一端が開放されたキャップ係合部と、このキャップ係合部の側部に一体に延設され、断面が略矩形状のタブ係合孔が形成されたタブ係合部と、前記キャップ係合部の側部で、前記タブ係合部から離間した位置に一体に延設された鰐口部とを備えていることを特徴とする。
【０００９】
このような構成とすることにより、ねじ蓋の開閉時においては、前記キャップ係合部をねじ蓋に被せた状態で、前記タブ係合部と鰐口を介して前記キャップ係合部に回転を加えることができる。
【００１０】
ここで、前記キャップ係合部の内径を適宜設定しておくことにより、このキャップ係合部と前記ねじ蓋との摩擦を大きくすることができる。
また、このキャップ係合部を回転させる際に、その回転力を、前記キャップ係合部の側部から突出させられている前記タブ係合部および前記鰐口を介して行なうことから、回転時の手の滑りを抑えることができるとともに、前記キャップ係合部に与えるトルクを大きくすることができる。
この結果、ねじ蓋の開閉を円滑にかつ容易に行なうことができる。
【００１１】
また、プルタブの開封に当たっては、まず、前記鰐口の先端部分を前記プルタブの下に滑り込ませることにより、このプルタブを斜めに立ち上げる。
【００１２】
ついで、立ち上げられた前記プルタブに、前記タブ係合部を、そのタブ係合孔を用いて被せた後、開封補助具を立て起こす。
この操作により、前記プルタブが前記開封補助具とともに立て起こされて開封される。
【００１３】
さらに、調味料容器のように、注ぎ口の内部に、この注ぎ口を密閉するように中栓が設けられ、使用時に、前記中栓に一体に設けられている引き上げリングを引き上げることによって、前記中栓を切り取って開封する構造の容器もある。
【００１４】
このような容器の開封にも本考案の開封補助具は好適に用いられる。
すなわち、前記鰐口部を、容器の注ぎ口に挿入するとともに、その内部の前記引き上げリングに係合させ、ついで、前記注ぎ口の縁を支点として前記開封補助具を回動させて、前記引き上げリングを前記注ぎ口の外へ引き出すことにより、前記中栓を切り取ることができる。
【００１５】
本考案の請求項２に記載の容器の開封補助具は、請求項１に記載の前記タブ係合部のタブ係合孔と前記鰐口部の口とが、それぞれの中心線によって形成される挟み角が鈍角となるように形成されていることを特徴としている。
【００１６】
このような構成とすることにより、前記開封補助具の鰐口部を使用する際に、前記タブ係合部のタブ係合孔と前記鰐口部の口との中心線が交差する部位を支点とすると、前記タブ係合部に適度の傾斜が与えられ、この結果、力点となる前記タブ係合部の把持が容易となる。
【００１７】
本考案の請求項３に記載の容器の開封補助具は、前記鰐口部の口の部分がスリット状の隙間に形成され、前記口の奥の部分に拡径部が設けられていることを特徴とする。
【００１８】
このように、鰐口部の口の部分をスリット状の隙間に形成し、鰐口部の口の奥の部分に拡径部を設けることで、鰐口部のスリット状の隙間を一定に保持しつつ、プルタブの自由端部分が拡径部に緊密に嵌りこむのを防止することができる。
【００１９】
本考案の請求項４に記載の容器の開封補助具は、請求項１に記載の前記キャップ係合部の内壁が、一端部から他端部に行くにしたがい漸次小径となるように形成されていることを特徴としている。
【００２０】
このような構成とすることにより、前記キャップ係合部に嵌合されるねじ蓋の外径が異なる場合でも、前記キャップ係合部とねじ蓋との接触圧を十分に確保することができ、開閉時の回転力を確実に前記ねじ蓋に付加することができる。
【００２１】
本考案の請求項５に記載の容器の開封補助具は、請求項１〜４の何れかに記載の前記キャップ係合部の内壁に、このキャップ係合部の中心線と略平行な多数の突条が形成されていることを特徴としている。
【００２２】
このような構成とすることにより、前記突条によって、前記キャップ係合部に嵌合される前記ねじ蓋との引っかかりを確保し、両者間の滑りを抑制することができる。
この結果、前記ねじ蓋の開閉操作をより確実なものとすることができる。
【考案の効果】
【００２３】
本考案によれば、構造の異なる蓋構造の容器に対して、それぞれの蓋体に効率よく操作力を伝達して、これらの蓋体を容易に開封することができる。
【図面の簡単な説明】
【００２４】
【図１】本考案の一実施形態を示す外観斜視図である。
【図２】本考案の一実施形態を示す正面図である。
【図３】本考案の一実施形態の使用状態を示す斜視図である。
【図４】本考案の一実施形態の使用状態を示す斜視図である。
【図５】本考案の一実施形態の使用状態を示す斜視図である。
【図６】本考案の一実施形態の使用状態を示す斜視図である。
【考案を実施するための形態】
【００２５】
以下、本考案の一実施形態を図１ないし図５を参照して説明する。
図１において、符号１は、本実施形態に係わる容器の開封補助具を示し、この開封補助具１は、筒状に形成され、少なくとも一端が開放されたキャップ係合部２と、このキャップ係合部２の側部に一体に延設され、断面が略矩形状のタブ係合孔３ａが形成されたタブ係合部３と、前記キャップ係合部２の側部で、前記タブ係合部３から離間した位置に一体に延設された鰐口部４とを備えている。
【００２６】
前記タブ係合部３のタブ係合孔３ａと前記鰐口部４の口４ａとが、それぞれの中心線によって形成される挟み角αが鈍角となるように形成されている。
鰐口部４の口４ａ部分は、図２に示すようにスリット状の隙間に形成され、その奥の部分が断面円形状の拡径部４ｂに形成されている。この拡径部４ｂを設けた理由は、プルタブの自由端部分の厚みにバラツキがあり、厚みが通常よりも厚い場合には、緊密に嵌り合って抜け難くなる恐れがあるからである。
【００２７】
この点、本実施形態では、口４ａ部分の奥の部分を拡径部４ｂに形成して、プルタブの自由端部分が拡径部４ｂに緊密に嵌りこむのを防止することで、上記の問題を解決している。
【００２８】
前記キャップ係合部２は、本実施形態においては有底筒状に形成されており、その内壁は、一端部から他端部に行くにしたがい漸次小径となるように形成されている。
【００２９】
すなわち、本実施形態においては、前記キャップ係合部２の内壁の底部近傍に小径部２ａが形成され、また、開口部近傍に大径部２ｂが形成された構成となっている。
【００３０】
本実施形態においては、前述したように、前記キャップ係合部２の内壁を、２段階に内径を変化させた形状としてあるが、３段階以上に内径変化をさせてもよく、あるいは、テーパー面として無段階に変化させるようにしてもよい。
【００３１】
また、前記キャップ係合部２の内壁に、このキャップ係合部２の中心線と略平行な多数の突条５が形成されている。
これらの突条５は、前記キャップ係合部２内に嵌合させられるねじ蓋との接触圧を高めあるいは引っかかりを生じさせるために設けられている。
【００３２】
ついで、このように構成された本実施形態に係わる容器の開封補助具１を用いて、図３に示すような、缶詰等の容器Ｃの開封を行なう例について説明する。
【００３３】
この容器Ｃは、切り離し可能な蓋６と、この蓋６の一部に切り込みを入れた後にこの蓋６を切り離すプルタブ７とを備えている。
【００３４】
前記プルタブ７の自由端部と前記蓋６との間に十分な隙間がある場合には、前記開封補助具１のタブ係合部３のタブ係合孔３ａを前記プルタブ７の自由端部に位置合わせした後に、前記タブ係合部３を前記プルタブ７に、図３に示すように、嵌合させる。
【００３５】
ついで、前記開封補助具１を、図３に矢印で示すように上方へ向けて回動させることにより、前記プルタブ７を引き起こす。
これによって、前記プルタブ７の固定部近傍において、前記蓋６の一部に切り込みが形成される。
【００３６】
この状態で、前記開封補助具１を前記プルタブ７から取り外し、ついで、このプルタブ７を掴んで引き上げることによって前記蓋６を切り取り、容器Ｃを開封することができる。
【００３７】
つぎに、ペットボトル等のねじ蓋８を備えた容器Ｂの開封操作について、図４を参照して説明する。
この場合には、前記開封補助具１を、前記キャップ係合部２を下方にして、このキャップ係合部２を、前記容器Ｂのねじ蓋８に被せる。
この状態において、前記キャップ係合部２の内面に、前記ねじ蓋８が圧接させられて両者間に高い接触圧が生じる。
【００３８】
また、本実施形態においては、前記キャップ係合部２の内面に多数の突条５が形成されていることにより、このキャップ係合部２と前記ねじ蓋８との間に、このねじ蓋８の周方向において引っかかりが形成される。
【００３９】
これより、前記開封補助具１を、前記タブ係合部３および鰐口部４によって、軸線回りに回転させることにより、前記ねじ蓋８を回転させて開封することができる。
【００４０】
ここで、前記キャップ係合部２と前記ねじ蓋８との間に十分な摩擦力が確保され、また、前記タブ係合部３および鰐口部４に回転力を加えることから、手の滑りを抑制し、かつ、これらの中心部に位置する前記ねじ蓋８に十分なトルクを加えることができる。
【００４１】
一方、図５に示すように、蓋６とプルタブ７との間の隙間が小さい場合等にあっては、前記開封補助具１の鰐口部４を用いて開封する。
【００４２】
すなわち、前記鰐口部４の先端を、図５に示すように、前記プルタブ７と蓋６との間に押し込んで浮かせつつ、このプルタブ７を前記鰐口部４に噛み込ませ、これより、前記開封補助具１を引き起こすように回動させて、前記プルタブ７を引き起こし、これによって、前記蓋６を開封することができる。
【００４３】
前記鰐口部４は、図６に示すような調味料容器Ｄのように、注ぎ口９の内部に、この注ぎ口９を密閉するように中栓１０が設けられ、使用時に、前記中栓１０に一体に設けられている引き上げリング１１を引き上げることによって、前記中栓１０を切り取って開封する場合にも好適に用いられる。
【００４４】
すなわち、前記鰐口部４を、容器Ｄの注ぎ口９に挿入するとともに、その内部の前記引き上げリング１１に係合させ、ついで、前記注ぎ口９の縁を支点として前記開封補助具１を回動させて、前記引き上げリング１１を前記注ぎ口９の外へ引き出すことにより、前記中栓１０を切り取り開封することができる。
【００４５】
ここで、前記タブ係合部３のタブ係合孔３ａと前記鰐口部４の口４ａとが、それぞれの中心線によって形成される挟み角αが鈍角となるように形成されていることから、前述したように前記開封補助具１をセットした状態において、前記タブ係合部３が、斜め上方へ向けて傾斜状態に維持される。
【００４６】
そのために、前記開封補助具１を握りやすく、その取り扱いが容易となる。
【符号の説明】
【００４７】
１  開封補助具
２  キャップ係合部
２ａ  小径部
２ｂ  大径部
３  タブ係合部
３ａ  タブ係合孔
４  鰐口部
４ａ  口
４ｂ  拡径部
５  突条
６  蓋
７  プルタブ
８  ねじ蓋
９  注ぎ口
１０  中栓
１１  引き上げリング
Ｂ  容器
Ｃ  容器
Ｄ  調味料容器
【図１】
0003184130.tif 000003
【図２】
0003184130.tif 000004
【図３】
0003184130.tif 000005
【図４】
0003184130.tif 000006
【図５】
0003184130.tif 000007
【図６】
0003184130.tif 000008